(57)【要約】【課題】ノズルシュート等の特殊な形状の移送路を遊技媒体貸出機に設けることなく、遊技媒体貸出機から遊技機の受け皿に遊技媒体を移送すること、遊技機の筐体に取り付けられた前扉（前面部材）を開閉する際に遊技媒体貸出機の移送路が邪魔になる等の不具合を防止すること、遊技媒体貸出機や遊技機が配置された遊技店内の美観を向上すること、等。【解決手段】遊技媒体貸出機８が設置されている遊技島に配置されるスロットマシン（遊技機）１であって、筐体２と、筐体２に開閉自在に取り付けられ前扉（前面部材）３と、前扉（前面部材）３の前面側に形成され、遊技媒体を貯留する受け皿６ａとを有し、受け皿６ａは、遊技媒体貸出機８側に向かって伸縮自在に形成された、該遊技媒体貸出機８から払出された遊技媒体９０１を受容可能な受け皿可動部材（可動部材）６０２を備える。【選択図】図７
2007268069.tif 000002
【特許請求の範囲】
【請求項１】
遊技媒体貸出機が設置されている遊技島に配置される遊技機であって、
筐体と、
前記筐体に開閉自在に取り付けられた前面部材と、
前記前面部材の前面側に形成され、遊技媒体を貯留する受け皿とを有し、
前記受け皿は、前記遊技媒体貸出機側に向かって伸縮自在に形成された、該遊技媒体貸出機から払出された遊技媒体を受容可能な受け皿可動部材を備えることを特徴とする遊技機。
【請求項２】
前記受け皿は、前記前面部材の前面側に固定され、前記前面部材の左右端部から突出しない形状の受け皿本体部材と、前記受け皿可動部材とを有し、
前記受け皿可動部材は、伸張時には前記筐体又は前面部材の前記遊技媒体貸出機側の端部から突出し、収縮時には前記受け皿本体部材に収容可能に形成されていることを特徴とする請求項１に記載の遊技機。
【請求項３】
前記受け皿可動部材は、伸張時に前記遊技媒体貸出機の払出口の直下近傍に位置することを特徴とする請求項１または請求項２に記載の遊技機。
【請求項４】
前記受け皿可動部材は、前記受け皿本体部材に対して摺動自在に形成されていることを特徴とする請求項１から請求項３のいずれかに記載の遊技機。
【請求項５】
前記受皿可動部材は、前記受け皿本体部材に対して回動自在に形成されていることを特徴とする請求項１から請求項４のいずれかに記載の遊技機。
【請求項６】
遊技媒体貸出機が設置されている遊技島に配置される遊技機の受け皿であって、
前記遊技機の筐体に開閉自在に取り付けられた前面部材の前面側に固定され、前記前面部材の左右端部から突出しない形状の受け皿本体部材と、
前記遊技媒体貸出機側に向かって伸縮自在に形成された、該遊技媒体貸出機から払出された遊技媒体を受容可能な受け皿可動部材と
を有することを特徴とする遊技媒体の受け皿。
【請求項７】
前記受け皿可動部材は、伸張時には前記筐体又は前面部材の前記遊技媒体貸出機側の端部から突出し、収縮時には前記受け皿本体部材に収容可能に形成されていることを特徴とする請求項６に記載の遊技機の受け皿。
【発明の詳細な説明】
【技術分野】
【０００１】
本発明は、例えば遊技媒体貸出機が設置されている遊技島に配置される遊技機であって、遊技媒体貸出機から払出された遊技媒体を貯留する受け皿を備える遊技機、および受け皿に関する。
【背景技術】
【０００２】
遊技店には、パチンコやスロットマシンのような、パチンコ球やメダルを遊技媒体とした遊技機が配置されている。例えばメダル等の遊技媒体の貸出を行う遊技媒体貸出機は、有価価値を備えるカードや紙幣等を受けると、その有価価値に応じた個数の遊技媒体を、その遊技媒体貸出機の払出口から払い出し、遊技媒体貸出機に設けられた受け皿にて受け止めて貯留する。そして遊技者は手により、その遊技媒体を遊技媒体貸出機から、遊技機に設けられた受け皿等に移送していた。
【０００３】
しかし、上記方法では遊技者が遊技媒体を移送中に誤って落下させる虞がある。また一般的に遊技店内の限られた設置スペースに遊技機を並べて配置するので、遊技機の設置台数を増やすために、遊技機間に配置される遊技媒体貸出機の本体部の左右幅を比較的小さく形成している。このため遊技媒体貸出機の受け皿が比較的小さく形成され、遊技者が移送動作を複数回実施することとなり、非常に煩わしいという問題がある。また移送を行うとき、遊技者が遊技機により遊技を行わないことが多く、遊技機の稼働率が低下するという問題がある。
【０００４】
そこで近年では、遊技媒体貸出機の払出口にノズルを設け、そのノズルを介して隣接する遊技機側に遊技媒体を移送させる技術が開示されている（例えば、特許文献１，２参照）。
【０００５】
図１８は、従来の遊技機７０と、これに隣接して配置される従来のノズルを備える遊技媒体貸出機５０を説明するための図である。図１８に示すように、例えばメダルを遊技媒体とする遊技媒体貸出機５０は、その上部に、有価価値を有するカードや貨幣等を投入する投入口５２と、投入金額やエラー等を表示する表示部５３が設けられている。また遊技媒体貸出機５０は、中間部に、遊技媒体貸出機５０内のメダルが不足した場合に、遊技媒体貸出機５０内のメダルホッパー（図示せず）にメダルを補給するために開閉される鍵穴５４付きの扉５５が設けられている。また遊技媒体貸出機５０は、下部に、ノズルシュート５６０がそのノズル５６２を下向状態にして設けられ、メダルホッパーから送り出された遊技媒体をノズル５６２の先端部５６２ｂから、遊技機７０の受け皿６ｊに払出すように構成されている。遊技機７０では、このメダルが、正面中央部付近に設けられたメダル投入部７１に投入されると、遊技が始められる状態になる。
【０００６】
【特許文献１】特開２００５−２９６４４８号公報
【特許文献２】特開２００２−１７７６１８号公報
【発明の開示】
【発明が解決しようとする課題】
【０００７】
しかし、上記ノズルシュート５６０を備える遊技媒体貸出機５０では、例えば一度に大量の遊技媒体を払い出すときに、ノズルシュート５６０内で遊技媒体が詰まり、遊技媒体貸出機５０から遊技機７０に遊技媒体を迅速に移送できない場合がある。
【０００８】
また上記遊技媒体貸出機５０では、例えば図１８に示すような形状のノズルシュート５６０が形成されているので、遊技店内の美観が損なわれる虞がある。
【０００９】
また、例えば遊技機７０に設けられたメダルホッパーにメダル（遊技媒体）を補給する場合、遊技機７０のメンテナンスを行う場合、遊技機７０の前扉（前面部材）を開閉する場合、遊技機７０を設置する場合、等では、遊技媒体貸出機５０のノズルシュート５６０が邪魔になる場合がある。
【００１０】
本発明は、上記問題に対処することを課題の一例とするものである。すなわち、ノズルシュート等の特殊な形状の移送路を遊技媒体貸出機に設けることなく、遊技媒体貸出機から遊技機の受け皿に遊技媒体を移送すること、遊技機の筐体に取り付けられた前扉（前面部材）を開閉する際に遊技媒体貸出機の移送路が邪魔になる等の不具合を防止すること、遊技媒体貸出機や遊技機が配置された遊技店内の美観を向上すること、等が本発明の目的である。
【課題を解決するための手段】
【００１１】
このような目的を達成するために、請求項１に記載の発明は、遊技媒体貸出機が設置されている遊技島に配置される遊技機であって、筐体と、前記筐体に開閉自在に取り付けられた前面部材と、前記前面部材の前面側に形成され、遊技媒体を貯留する受け皿とを有し、前記受け皿は、前記遊技媒体貸出機側に向かって伸縮自在に形成された、該遊技媒体貸出機から払出された遊技媒体を受容可能な受け皿可動部材を備えることを特徴とする。
【００１２】
好適には、前記受け皿は、前記前面部材の前面側に固定され、前記前面部材の左右端部から突出しない形状の受け皿本体部材と、前記受け皿可動部材とを有し、前記受け皿可動部材は、伸張時には前記筐体又は前面部材の前記遊技媒体貸出機側の端部から突出し、収縮時には前記受け皿本体部材に収容可能に形成されている。
【００１３】
請求項６に記載の発明は、遊技媒体貸出機が設置されている遊技島に配置される遊技機の受け皿であって、前記遊技機の筐体に開閉自在に取り付けられた前面部材の前面側に固定され、前記前面部材の左右端部から突出しない形状の受け皿本体部材と、前記遊技媒体貸出機側に向かって伸縮自在に形成された、該遊技媒体貸出機から払出された遊技媒体を受容可能な受け皿可動部材とを有することを特徴とする。
【００１４】
好適には、前記受け皿可動部材は、伸張時には前記筐体又は前面部材の前記遊技媒体貸出機側の端部から突出し、収縮時には前記受け皿本体部材に収容可能に形成されていることを特徴とする。
【００１５】
上記構成とすることで、受け皿可動部材が、遊技媒体貸出機側に向かって伸張した場合には、その遊技媒体貸出機から払出された遊技媒体を受容することができ、受け皿可動部材が収縮した場合には、受け皿本体部材に収容することができる。
【発明の効果】
【００１６】
本発明に係る遊技機によれば、受け皿が、遊技媒体貸出機側に向かって伸縮自在に形成された受け皿可動部材を備え、その受け皿可動部材が伸張した場合に、遊技媒体貸出機から払出された遊技媒体を受容するので、ノズルシュート等の特殊な形状の移送路を遊技媒体貸出機に設けることなく、簡単な構成により、遊技媒体貸出機から遊技機の受け皿に遊技媒体を移送することができる。
【００１７】
また、前面部材に設けられた受け皿可動部材を本体部材に収容可能に形成されているので、遊技機筐体の前面扉を開閉する場合であっても、従来のように、遊技媒体貸出機の移送路が邪魔になる等の不具合を防止することができる。また、遊技媒体貸出機や遊技機の美観を向上させることができる。
【発明を実施するための最良の形態】
【００１８】
［第１実施形態］
以下、本発明に係る遊技機の好適な一実施形態として、プリペイドカードに記録された度数（遊技価値や有価価値に相当する）に基づいて、遊技に使用されるメダル（遊技媒体）を貸し出す遊技媒体貸出機が設置されている遊技島に配置されるスロットマシンを例に説明する。遊技媒体貸出機はこの形態に限られるものではなく、例えば紙幣や硬貨等により遊技媒体を貸出してもよい。
【００１９】
図１は、本発明の実施形態に係る遊技機及び遊技媒体貸出機が配置された遊技島１００１を説明するための図である。図２は、図１に示した遊技機及び遊技媒体貸出機を説明するための正面図である。図３は、図２に示した遊技機の内部構造を説明するための図である。図４は、図２に示した遊技機及び遊技媒体貸出機を有する遊技システムのブロック図である。本実施形態に係る遊技システム１０００は、図１〜図４に示すように、スロットマシン１、および遊技媒体貸出機８を有する。スロットマシン１は本発明に係る遊技機の一実施形態に相当し、遊技媒体貸出機８は本発明に係る遊技媒体貸出機の一実施形態に相当する。
【００２０】
遊技島１００１には、例えば図１に示すように、複数台のスロットマシン１が背合わせで横方向に連設され、遊技媒体貸出機８がスロットマシン１とスロットマシン１との間に設置されている。つまり、スロットマシン１は、遊技媒体貸出機８に隣接する位置に配置されている。スロットマシン１と遊技媒体貸出機８は、例えば遊技島１００１の端に設けられた島管理装置（図示せず）等に通信可能に接続されていて、動作状況や各種営業情報信号（売上げデータやトラブルコード等）を送受信することができる。また各スロットマシン１の上部には呼出ランプ１００２が備えられており、スロットマシン１や遊技媒体貸出機８の動作状況に応じて、呼出ランプ１００２が点灯や点滅を行うようになっている。
【００２１】
本実施形態に係る遊技システム１０００では、図２に示すように、スロットマシン１の受皿ユニット６の一部が遊技媒体貸出機８側に向かって伸縮自在に形成されており、後述するように遊技媒体貸出機８の払出口８６０の直下近傍に、スロットマシン１の受け皿６ａの一部が延出されて配置された状態で、遊技媒体貸出機８の払出口８６０から払出された遊技媒体がその受け皿６ａに移送される。スロットマシン１の受け皿６ａはその遊技媒体を貯留する。以下、遊技媒体貸出機８及びスロットマシン１について図面を参照しながら説明する。
【００２２】
［遊技媒体貸出機８］
遊技媒体貸出機８は、図２に示すように、前面部の上部に、有価価値処理部８００が形成され、その前面側には装置上部前面扉を開閉するため鍵穴８０１と、有価価値を有するカードや紙幣等を投入する投入口８０２と、投入金額やエラー等を表示する表示部８０３と、メダル貸出スイッチ８４１およびカード返却スイッチ８４２ａ等の操作スイッチとが設けられている。また遊技媒体貸出機８は、中間部に、遊技媒体貸出機８内のメダルが不足した場合に、遊技媒体貸出機８内のメダルホッパー（図示せず）にメダルを補給するために開閉される鍵穴８０４付きの扉８０５が設けられている。また遊技媒体貸出機８は、下部に、払出口８６０が設けられ、装置内部に設けられたメダルホッパーから送り出されたメダル（遊技媒体）を払出口８６０から払出す。遊技媒体貸出機８の詳細については後述する。
【００２３】
［スロットマシン１］
本実施形態に係るスロットマシン１は、図２，図３に示すように、遊技者に面する側にいわゆるフロントマスク（フロント部材）３０１が形成された前扉（前面部材）３が、略矩形状の箱体である筐体２の開口に対し、開閉機構、例えばヒンジ部２ａにより開閉可能に取り付けられている。詳細には筐体２の左側又は右側の端部（本実施形態では第１図に向かって前面左側端部）にスライドヒンジ等からなるヒンジ部２ａが形成されており、そのヒンジ部２ａを基準に前扉３が開閉揺動自在に取り付けられている。前扉３の前面側は、上部パネル部４と下部パネル部５に概略区分され、これらは視覚的効果を高めてデザインされた、いわゆる化粧板として、硬化プラスチック等により一体的に形成されている。更に、下部パネル部５の下部には、入賞時に払い出されるメダルを貯留するための受け皿６ａと灰皿６ｂ等が一体的に形成された受皿ユニット６が設けられている。
【００２４】
また、上部パネル部４と下部パネル部５との間には、ゲーム操作を行うためのスイッチ類が配置されている操作卓７が形成されている。なお、上部パネル部４、下部パネル部５、受皿ユニット６、および操作卓７は、遊技者側に面し、これらによって「前面パネル部」が構成されている。
【００２５】
操作卓７の上方の上部パネル部４中央には、略長方形に大きく開口する開口部４１が形成されている。その開口部４１を塞ぐように、液晶パネルユニット１１が前扉３の裏面側から取り付けられている。液晶パネルユニット１１の前面部分は、フルカラーの画像を表示可能とする液晶表示パネル部１３となっており、当該液晶表示パネル部１３の中央に、略透明で略長方形の領域である非表示領域（表示窓）１２が形成されている。すなわち、液晶表示パネル部１３に、略透明であって映像を表示しない領域である非表示領域１２を通して筐体２内に設けられているリールユニット１００の３個のリール１０１ａ，１０１ｂ，１０１ｃが目視され、更に非表示領域１２の周辺にゲームの演出等の映像を表示可能な液晶表示領域１０が形成されている。
【００２６】
上部パネル部４の周縁部分には、高輝度発光ダイオード等のランプ類を内蔵する演出用照明部４３ａ，４３ｂ，４３ｃが配置されている。また、スピーカを内蔵し、ゲームに係る効果音を発生させる演出用放音部４４ａ，４４ｂが上部パネル部４の左右にそれぞれ配置されている。更に、演出用放音部４４ａ，４４ｂの間には、液晶表示ユニット４５が配置されている。なお、液晶表示ユニット４５は、ゲームの演出に係る映像を主に表示する。
【００２７】
操作卓７の上面右側には、メダルを投入するための投入口を有するメダル投入部７１が設けられている。また操作卓７の上面の左側には、押しボタンスイッチである２個のベットボタン７２，７３が設けられている。なお、ベットボタン７２，７３はスロットマシンの１ゲームに賭けるメダルの枚数を提示するためのボタンスイッチである。ゲームを開始する際に、ベットボタン７２が１回押圧操作されることで、内部貯留されているメダルから１枚のメダルがゲームに対して賭けられ、そこから再度押圧操作されることで更にもう１枚のメダルが賭けられる（３枚まで）。
【００２８】
ベットボタン７３は１回の押圧操作により、３枚のメダルが賭けられる。特に、ベットボタン７３は、最大枚数のメダルを当該ゲームに賭けることから「マックスベットボタン」と呼ばれている。
【００２９】
操作卓７の前面には、リール１０１ａ，１０１ｂ，１０１ｃの回転開始を指示するためのスタートレバー７４が設けられている。スタートレバー７４は、先端に球形の操作ノブを有する上下左右方向に揺動可能な操作桿を備え、操作桿が傾倒操作されるとオン、操作桿から手が離されるとスプリングの付勢力によって、自動的に元の位置に戻ってオフ状態となるスイッチユニットで形成されている。
【００３０】
また、操作卓７の中央には、各リール１０１ａ，１０１ｂ，１０１ｃの回転停止をそれぞれ指示するためのストップボタン７５ａ，７５ｂ，７５ｃが各リールの配列に対応して並設されている。
【００３１】
下部パネル部５には、スロットマシンのモデルタイプを遊技者へ認識させる等のために、登場キャラクターの絵などを表示するパネル５１が設けられている。下部パネル部５の下側に配置された受皿ユニット６には、入賞時にメダルを排出する払出口６１と、払い出されたメダルを貯める受け皿６ａと、灰皿６ｂと、スピーカを内蔵し演出効果音を発生させる演出用放音部６２ａ等がそれぞれ配置されている。
【００３２】
次に図３を参照して、スロットマシン１の内部構造を説明する。なお、図３は、前扉３が筐体２から開いた状態でのスロットマシン１の内部構造を表している。図３において、筐体２内の上部には、スロットマシン１の全体動作を集中制御する制御回路（ＣＰＵ：Central processing unit）を備え、硬質プラスチックのケースに収納された主制御基板２０が取り付けられている。
【００３３】
筐体２内の中央には、リール１０１ａ，１０１ｂ，１０１ｃを備えるリールユニット１００が設けられている。リールユニット１００は、前扉３が筐体２側に閉じ込められると液晶パネルユニット１１に形成された非表示領域（表示窓）１２に、リール１０１ａ，１０１ｂ，１０１ｃが対向するように、筐体２内の所定の高さに固定されたフレーム２１に位置決めされて取り付けられている。なお、各リール１０１ａ，１０１ｂ，１０１ｃは、それぞれに内蔵されたステッピングモータによって回転駆動される。
【００３４】
また、リールユニット１００の上部には、各リールを回転駆動するステッピングモータへ４相の駆動パルス信号を送出する回胴装置基板１０４が取付けられており、主制御基板２０が回胴装置基板に回胴駆動（励磁）パルスデータを送出することで、各リール１０１ａ，１０１ｂ，１０１ｃの回転と制御及び停止の制御を行っている。
【００３５】
リールユニット１００の下方には、メダル投入部７１から投入されたメダルを貯留し、入賞の配当の際に排出口２２ａからメダルを排出するホッパ装置（メダルホッパー）２２と、ホッパ装置２２から溢れたメダルを収容するための補助貯留部２３と、スロットマシン１に内蔵される各機器へ電力を配電する主電源装置２４が設けられている。更に、筐体２の上部右側の内壁に、遊技媒体貸出機８、および遊技場に設置されている「ホールコンピュータ」と呼ばれる管理用コンピュータと接続される外部集中端子基板２５が取付けられている。
【００３６】
前扉３の裏面側上部には、上述の演出用放音部４４ａ，４４ｂに対向してスピーカ３１ａ，３１ｂが取り付けられている。またスピーカ３１ａ，３１ｂの間に液晶表示ユニット４５が取付けられ、液晶表示ユニット４５の裏面側に、当該液晶表示ユニット４５等を制御駆動するサブ制御基板３０が取り付けれている。すなわちスロットマシン１全体の動作は、筐体２側に設けられている主制御基板２０によって統括制御されており、サブ制御基板３０は、液晶表示ユニット４５による演出映像の表示制御、演出用照明部４３ａ，４３ｂ，４３ｃ等を使った照明制御、及び演出用放音部４４ａ，４４ｂ，６２ａ，６２ｂを使った演出効果音制御など、ゲームの演出に係る制御を主に行う。
【００３７】
サブ制御基板３０の下方には、前面にリール１０１ａ，１０１ｂ，１０１ｃを目視させるための透明な非表示領域１２と、非表示領域１２の周辺に形成された液晶表示領域１０とを有する液晶パネルユニット１１が着脱可能に取付けられている。また、液晶パネルユニット１１の裏面側には、リール１０１ａ，１０１ｂ，１０１ｃの外周面を照射して、図柄を明るく表示させるための冷陰極蛍光ランプ１５ａおよび冷陰極蛍光ランプ１５ａを駆動するインバータ１５ｂを有するリール照明部１５と、スタートレバー７４及びストップボタン７５ａ，７５ｂ，７５ｃ等の操作スイッチ類の出力信号を主制御基板２０へ転送する中継基板として機能する中央表示基板１８とを備え、これらがユニット化されて形成されている。
【００３８】
液晶パネルの１１の下方には、メダル選別装置３２が取付けられている。メダル選別装置３２は、メダル投入部７１に投入されたメダルの適否を判別し振り分ける装置である。又、メダル選別装置３２は、メダルセンサ３２１を内蔵しており、ゲームの待機状態等において正規のメダルが投入され、メダルセンサがこのメダルを検出することによって、メダル投入の受け付けを示すメダル検出信号を主制御基板２０へ送出する。
【００３９】
メダル選別装置３２の下方には、メダル選別装置３２によって振り分けられた正規のメダルを筐体２内に設けられているホッパ装置２２へ案内するガイド部材３３と、メダル選別装置３２により排除されたメダル（または異物）を払出口６１へ案内するガイド部材３４が設けられている。また前扉３の裏面側下部には、ホッパ装置２２の排出口２２ａから排出されたメダルを払出口６１へ案内するガイド部材３５が設けられている。更に、払出口６１に隣接して、上述した演出用放音部６２ａ，６２ｂに対向するスピーカ３６ａ等が取付けられている。
【００４０】
次に、スロットマシン１及び貸出機を有する遊技システムの動作を、図４を参照しながら簡単に説明する。
【００４１】
図４に示すように、スロットマシン１の主制御基板２０には、サブ制御基板３０と、回胴装置基板１０４と、電源装置基板１５０と、中央表示基板１８と、外部集中端子基板２５とが配線ケーブルでそれぞれ接続されている。主制御基板２０は、ＣＰＵのほかにＲＯＭ（Read only memory）、ＲＡＭ（Random access memory）などの半導体メモリからなる記憶部が備えられ、ここに予め記憶されている本発明に係る遊技機を制御するプログラムに基づいて、制御回路（ＣＰＵ）が演算処理を実行することで、スロットマシン１全体の動作を統括的に制御している。
【００４２】
主制御基板２０には、中央表示基板１８を介してベットボタン７２，７３と、スタートレバー７４と、ストップボタン７５ａ，７５ｂ，７５ｃと、操作スイッチ類、及びメダル選別装置３２のメダルセンサ３２１等の検出スイッチ類が配線ケーブルで接続され、これらのスイッチ類からの出力信号が供給される。
【００４３】
主制御基板２０のクレジット管理手段２０１は、ゲームが待機状態において、メダルセンサ３２１からのメダル検出信号を受信すると、「クレジット」と呼ばれる、内部に貯留するメダルの数を示す記憶データを、検出されたメダルの枚分だけ加算する。ベットボタン７２，７３が操作され、所定数のメダルがゲームに賭けられた場合、その枚数分が減算される。なお、クレジット管理手段２０１は、クレジットとして、内部貯留するメダルの数の上限を例えば５０枚としており、これを超えるような数のメダルの投入があった場合、メダル選別装置３２を制御して投入されたメダルを払出口６１から返却させ、またクレジットの上限を超える入賞配当、貸し出し操作があった場合には、ホッパ装置２２を駆動して、超過枚数分のメダルを、払出口６１から排出させている。
【００４４】
また、主制御基板２０の内部抽選手段２０２は、ゲームの開始状態でスタートレバー７４の操作が検出されると、乱数発生装置２０２ａを作動して乱数値を取得し、取得した乱数値を役抽選テーブル２０２ｂと照合して当該ゲームの入賞役を抽選する。すなわち、役抽選テーブル２０２ｂには、乱数発生装置２０２ａが発生する乱数値（０〜６５５３５）のそれぞれに対応して、入賞役の種類（特別役、子役、リプレイ等）またはハズレを示す図柄の組み合わせ情報および配当枚数等が記憶されており、主制御基板２０の内部抽選手段２０２は、取得した乱数値に基づいて入賞役またはハズレが決定され内部抽選フラグ２０２ｃに抽選結果を記憶させる。
【００４５】
また、主制御基板２０のリール回転制御手段２０３は、ゲームの開始状態でスタートレバー７４の操作が検出されると、回胴装置基板１０４に回胴駆動パルスデータを送出し、各リール１０１ａ，１０１ｂ，１０１ｃを一定の回転速度で回転させる制御を行う。また、主制御基板２０のリール回転制御手段２０３は、ストップボタン７５ａ，７５ｂ，７５ｃの押圧操作に応じて、対応するリールの回転を停止させる制御を行う。
【００４６】
なお、リール回転制御手段２０３は、各リール１０１ａ，１０１ｂ，１０１ｃに設けられている基準位置センサ１０３ａ，１０３ｂ，１０３ｃの検出信号を入力し、各リールの基準となる回転位置を把握しながら、回胴装置基板１０４に所定の回胴駆動パルスデータを送出し、回胴装置基板１０４がこの回胴装置パルスデータに従って各ステッピングモータ１０２ａ，１０２ｂ，１０２ｃを回転駆動することで、各リール１０１ａ，１０１ｂ，１０１ｃの回転及び停止の動作を正確に行っている。
【００４７】
また、主制御基板２０の入賞判定手段２０４は、停止した全てのリールが有効なライン上に表示する図柄の組み合わせを調べ、何れか一つの図柄の組み合わせが、内部抽選フラグ２０２ｃに記憶された当該ゲームにおける入賞役に対応する図柄の組み合わせと一致すれば、クレジット管理手段２０１と連携し、当該確定した入賞役による配当数分だけクレジットを加算させる。
【００４８】
また、主制御基板２０のメダル払出制御手段２０５は、クレジット管理手段２０１と連携し、クレジットとして内部貯留可能な上限を超えるメダルの入賞配当等があった場合、電源装置基板１５０を介して、メダル払出手段であるホッパ装置２２を制御して、クレジットの上限枚を超える枚数分のメダルを払い出させる。
【００４９】
また、主制御基板２０の演出制御手段２０６は、ゲームの進行に応じて適宜の場面でサブ制御基板３０へ制御信号を送出し、サブ制御基板３０がこの制御信号に基づいて、演出用照明部４３ａ，４３ｂ，４３ｃ、演出用放音部４４ａ，４４ｂ，６２ａ，６２ｂ、液晶表示ユニット４５、及び液晶パネルユニット１１の液晶表示領域１０を制御駆動することで、遊技者の視覚や聴覚に働きかける演出を行っている。
【００５０】
スロットマシン１の外部集中端子基板２５には、通信インタフェース（ＩＦ）部２５ａが設けられている。通信ＩＦ部２５ａは、遊技媒体貸出機８との通信制御、及び遊技媒体貸出機と取り交わす信号の切り替え制御を主に実行する。
【００５１】
遊技媒体貸出機８側に搭載されている制御装置８２は、ＣＰＵ、ＲＯＭ、およびＲＡＭ等の半導体メモリを有するコンピュータから形成され、遊技媒体貸出機に装填されたプリペイドカード等の記録内容の読み出し、および書き換えを行うカードＲＷ（リーダライタ）装置８３の動作制御と、スロットマシン１の通信ＩＦ部２５ａとの間の通信制御を主に実行する。
【００５２】
次に、上記構成のスロットマシン１の動作を簡単に説明する。
上記構造のスロットマシン１は、先のゲームにおいて入賞し、メダルの払い出しが完了した時、または先のゲームにおいてハズレが確定しすると待機状態となる。この待機状態において、遊技者がメダル投入部７１よりメダルを投入すると、そのメダルが当該ゲームに賭けられ、最大可能賭数を超えた投入メダルはクレジットに加算され、内部貯留される。
【００５３】
メダルが賭けられておらず、かつクレジットにメダルが内部貯留されている状態で遊技者がベットボタン７２を押圧操作することで、クレジットされたメダルの一部が当該ゲームに賭けられゲームが開始する。そして、遊技者がスタートレバー７４を傾倒操作すると、全てのリール１０１ａ，１０１ｂ，１０１ｃが一斉に回転し、これと同時に入賞役が内部的な処理で乱数抽選される。
【００５４】
次に、遊技者がストップボタン７５ａ，７５ｂ，７５ｃを任意の順番で押圧操作すると、それに従い順次対応するリールが停止し、全てのリール１０１ａ，１０１ｂ、１０１ｃが停止した後、各リール表示された図柄の組み合わせとが一致しているか否かが確定し、その入賞役の種類に応じた枚数のメダルがクレジットに加算され配当される。入賞の配当によりクレジットの上限を超える場合には、その超過した枚数分のメダルがメダル排出口より受け皿６ａへ払い出される。
【００５５】
このように、スロットマシン１の遊技者は、リール１０１ａ，１０１ｂ，１０１ｃを回転、及び停止させる遊技操作を行って、非表示領域（表示窓）１２に変動表示した図柄が揃わなければ、賭けたメダルを失うが、予め定められた組み合わせで、技量と運とによりメダルを増やすという興趣を伴った勝敗ゲームを楽しむことができる。
【００５６】
［スロットマシン１の受け皿６ａ］
次に、本発明の特徴的部分である、スロットマシン１の受け皿６ａについて詳細に説明する。図５は、図２に示したスロットマシン１の受け皿６ａの一部が遊技媒体貸出機８側に延出された状態を説明するための正面図である。
【００５７】
図２，図５に示すように、受皿ユニット６は、受け皿６ａと、その受け皿６ａの左側部に形成された灰皿６ｂとを有する。この受皿ユニット６は、前扉３、詳細には前扉３の前面に形成されたフロント部材３０１の前面下部に形成されている。
【００５８】
この受け皿６ａは、図２，図５に示すように、受け皿６ａの一部が外側に向かって伸縮自在に形成されている。詳細には、受け皿６ａは、その一部が左右方向ｄｘに沿って遊技媒体貸出機８側に向かって伸縮自在に形成され、伸張した状態で、遊技媒体貸出機８の払出口８６０から払出された遊技媒体９０１を受容可能な受け皿可動部材（可動部材）６０２を備える。この受皿可動部材６０２は、摺動自在（スライド変位可能）に構成されていてもよいし、回動変位可能に構成されていてもよい。以下、図面を参照しながら、摺動可能に形成された可動部材６０２を備える受け皿６ａを説明する。
【００５９】
図６は図２に示したスロットマシン１および遊技媒体貸出機８の斜視図であり、受け皿６ａの可動部材６０２が本体部材６０１に収容された状態を説明するための図である。図７は図２に示したスロットマシン１および遊技媒体貸出機８の斜視図であり、可動部材６０２が本体部材６０１から延出した状態を説明するための図である。図８は図６および図７に示した受け皿６ａの上面図であり、図８（ａ）は、本体部材６０１に可動部材６０２が収容された状態を説明するための図であり、図８（ｂ）は可動部材６０２が本体部材６０１から延出した状態を説明するための図である。
【００６０】
図９は図８（ａ）に示した受け皿６ａのＡ−Ａ線に沿った断面図である。図１０は図８（ａ）に示した受け皿６ａのＢ−Ｂ線に沿った断面図である。図１１は、可動部材６０２および本体部材６０１の分解斜視図である。図１２は、本体部材６０１と可動部材６０２のスライド機構を説明するための正面図である。
【００６１】
本実施形態に係る受け皿６ａは、詳細には例えば図２，図５〜図１２に示すように、本体部材６０１、可動部材６０２を有する。
【００６２】
本体部材６０１は、払出口６１から払出されたコイン（遊技媒体）を貯留可能に断面凹形状に形成されている。本体部材６０１は、例えばスロットマシン１の筐体２又は前扉３の左右幅と略同じ幅程度に形成され、スロットマシン１の筐体２又は前扉３の左右端部（左右幅）から突出しないように、筐体２又は前扉３に固定されている。
【００６３】
詳細には、本体部材６０１は、例えば図９に示すように、凸形状の係合部６０１Ａを備え、その係合部６０１Ａが、前扉３のフロント部材３０１に形成された係合孔部３Ａに嵌合して、中間部材３０２を介して、ネジ等の固定部材３６１により前扉３に固定されている。
【００６４】
可動部材６０２は、断面凹形状に形成されたメダル受け部６０２ａと遊技媒体貸出機８側の端部に形成された凸形状の縁部６０２ｂを有し、本体部材６０１に対して遊技媒体貸出機８側に向かって変位可能に形成されている。詳細には、可動部材６０２は図に向かって左右方向ｄｘに沿って摺動自在に形成されている。
【００６５】
また本実施形態に係る受け皿６ａは、可動部材６０２が変位することにより、基準状態（第１の状態）、および変位状態（第２の状態）に設定可能である。
【００６６】
基準状態（第１の状態）とは、図２，図６，図８（ａ）に示すように、可動部材６０２が本体部材６０１に収容されることで、その受け皿６ａが筐体２又は前扉３の左右端部（左右幅）から突出していない状態である。
【００６７】
変位状態（第２の状態）とは、図５，図７，図８（ｂ）に示すように、可動部材６０２が遊技媒体貸出機８側に変位することで、本体部材６０１から突出した状態である。この受け皿６ａの変位状態（第２の状態）では、可動部材６０２の凹形状に形成されたメダル受け部６０２ａにより、遊技媒体貸出機８から払出されたメダル（遊技媒体）を受容することができる。
【００６８】
また受皿ユニット６は、例えば図１０〜図１２に示すように、本体部材６０１の凹部の内側面に、凹形状の可動部材６０２の外側面６０２Ｂの一部又は全部が接した状態で摺動自在に形成されている。この本体部材６０１の先端部近傍には、スライドガイド機能としての係合溝部６０１Ｃが形成されており、可動部材６０２の前面側先端部に形成された屈曲形状の係止部６０２Ｃが、その係合溝部６０１Ｃに嵌合した状態で、左右方向ｄｘに沿って（遊技媒体貸出機８側に向かって）摺動可能に形成されている。
【００６９】
また本体部材６０１には、図８，図１０〜図１２に示すように、筐体２又は前扉３の左右方向ｄｘに沿って、係合溝部６０１Ｄが形成されている。その係合溝部６０１Ｄに、可動部材６０２の前扉３側の外面部６０２Ａに形成された係合凸部６０２Ｄが嵌合した状態で、本体部材６０１の反対面側から係止部６０２Ｅがその係合凸部６０２Ｄに固定されることにより係止し、可動部材６０２が本体部材６０１に対して左右方向ｄｘに沿って摺動可能に形成される。
【００７０】
また本体部材６０１には、図１０，図１２に示すように、係合溝部６０１Ｄに沿って形成され、断面Ｌ字状に形成されたガイド部６０１Ｆが形成されている。このガイド部６０１Ｆや係合溝部６０１Ｄの左右方向に沿った長さや形状は、本体部材６０１に対する可動部材６０２の移動始点及び移動終点に応じて、適宜設定される。
【００７１】
また図１０，図１２に示すように、前扉３のフロント部材３０１には溝部３Ｈが形成されており、その溝部３Ｈに、本体部材６０１に形成されたガイド部６０１Ｆが嵌合して、本体部材６０１と前扉３のフロント部材３０１が位置決めされて、例えば接着剤やネジ等の不図示の固定部材により、それらが固定される。
【００７２】
以上説明したように、上記構成の受け皿６ａは、基準状態（第１の状態）では、例えば図２，図６，図８（ａ）に示すように、可動部材６０２が本体部材６０１に収容されることで、その受け皿６ａが筐体２又は前扉３の左右端部（左右幅）から突出していない。この状態ではスロットマシン１のメンテナンス時、輸送時、設置時、等に可動部材６０２が邪魔になることがない。
【００７３】
また受け皿６ａは、変位状態（第２の状態）では、例えば図５，図７，図８（ｂ）に示すように、可動部材６０２が本体部材６０１に対して、左右方向に沿って、遊技媒体貸出機８側に変位して、可動部材６０２のメダル受け部６０２ａにより、遊技媒体貸出機８から払出されたメダル（遊技媒体）を受容することができる。
【００７４】
この際、受け皿６ａは、変位状態（第２の状態）では、図５，図７，図８（ｂ）に示すように、可動部材６０２を、少なくとも遊技媒体貸出機８の払出口８６０の直下の位置まで延出することで、確実に遊技媒体貸出機８の払出口８６０から払出されたメダル（遊技媒体）を受けることができる。
【００７５】
また、本発明に係るスロットマシン１の受皿ユニット６は、スロットマシン自身に制御的に払い出す形態のスロットマシンの受け皿と共通化を図ることができる。
【００７６】
また本体部材６０１に対して可動部材６０２が、遊技媒体貸出機側に向かって伸縮自在に形成され、該遊技媒体貸出機から払出された遊技媒体を受容可能であれば、上述した実施形態に限られるものではない。また受け皿６ａのスライド機構は上記実施形態に限られるものではない。
【００７７】
また上述した受け皿６ａでは、例えば図１０〜図１２に示すように、本体部材６０１の凹部の内側面に、凹形状の可動部材６０２の外側面６０２Ｂの一部又は全部が接した状態で摺動可能に形成されているので、予め規定された力以上の力が可動部材６０２に加わると、例えば第１の状態から第２の状態、又は第２の状態から第１の状態に変位させることができる。また、予め規定された力より小さい力が加わっても容易に可動部材６０２が動くことがないので、可動部材６０２の意図しない変位を防止することができる。
【００７８】
また、本体部材６０１に対する可動部材６０２の意図しない変位を確実に防止するために、例えば図１３（ａ）〜（ｃ）に示すように、本体部材６０１および可動部材６０２に、可動部材６０２の摺動方向に沿って、規定された力以上の力が加わった場合に、第１の状態から第２の状態、又は第２の状態から第１の状態に変位する半固定機構６７０を設けてもよい。
【００７９】
この半固定機構６７０は、例えば図１３（ａ）〜（ｃ）に示すように、可動部６７１が板状バネなどの付勢手段６７２を介して固定部６７３により本体部材６０１に固定されている。可動部材６０２には、凹部６０２１，６０２２が形成されている。
【００８０】
上記構成の受け皿６ａでは、第２の状態では、例えば図１３（ａ）に示すように、可動部６７１が可動部材６０２の凹部６０２１に係止している。この際、可動部材６０２に左右方向ｄｘに沿って遊技媒体貸出機８と反対側に向かって、規定された力以上の外力が加わった場合には、図１３（ｂ）に示すように、本体部材６０１に対して可動部材６０２が摺動する。そして更に可動部材６０２が変位すると、図１３（ｃ）に示すように、可動部６７１が可動部材６０２の凹部６０２２に係合して、本体部材６０１に可動部材６０２が収容される（第１の状態）。
【００８１】
逆に、図１３（ｃ）に示すように、受け皿６ａが第１の状態で、可動部材６０２に左右方向ｄｘに沿って遊技媒体貸出機８側に向かって、規定された力以上の外力が加わった場合には、図１３（ｂ）に示すように、本体部材６０１に対して可動部材６０２が摺動する。そして更に可動部材６０２が変位すると、図１３（ａ）に示すように、可動部６７１が可動部材６０２の凹部６０２１に係合して、第２の状態となる。
【００８２】
上記構造の半固定機構６７０を設けたので、本体部材６０１に対する可動部材６０２の意図しない変位を確実に防止することができる。半固定機構６７０は、上記形態に限られるものではない。
【００８３】
以上説明したように、本実施形態に係るスロットマシン１は、遊技媒体貸出機８が設置されている遊技島１００１に配置されており、詳細には遊技媒体貸出機８に隣接して配置されており、筐体２と、その筐体２に開閉自在に取り付けられた前扉（前面部材）３と、前面部材の前面側に形成され、遊技媒体９０１を貯留する受け皿６ａとを有し、その受け皿６ａは、遊技媒体貸出機８側に向かって伸縮自在に形成された、その遊技媒体貸出機から払出された遊技媒体９０１を受容可能な可動部材（受け皿可動部材）６０２を備えるので、例えばノズルシュート等の特殊形状の移送路が形成された従来の遊技媒体貸出機と比べて、そのような移送路を設けることなく、遊技媒体貸出機８からスロットマシン１の受け皿６ａに、確実に遊技媒体９０１を移送することができる。
【００８４】
また、スロットマシン１の筐体２に取り付けられた前扉（前面部材）３を開閉する際に、遊技媒体貸出機の移送路が邪魔になる等の不具合を防止することができる。また、遊技媒体貸出機８やスロットマシン（遊技機）１の美観が向上する。
【００８５】
［第２実施形態］
図１４は、本発明の第２実施形態に係るスロットマシン１の受け皿を説明するための斜視図である。第１実施形態と同様な構成、動作、効果については説明を省略する。
【００８６】
第１実施形態では受け皿６ａは、本体部材６０１に対して摺動可能に形成された可動部材６０２を備えていたが、この形態に限られるものではない。例えば第２実施形態に係る受け皿６ａでは、本体部材６０１に対して回動自在に形成された可動部材６０２ｇを備えていてもよい。図１４（ａ）〜（ｆ）を参照しながら、回動自在に形成された可動部材６０２ｇの一具体例を説明する。
【００８７】
第１の状態では、図１４（ａ）に示すように、可動部材６０２ｇの端部には、軸部６１１を介して端部側面部材６１２が回動自在に固定されている。この端部側面部材６１２を図１４（ｂ）に示すように略水平となるように、軸部６１１を回転軸として外側に向けて回転させる。次に、図１４（ｃ），（ｄ）に示すように、本体部材６０１ｇの底部に配置されていた底部可動部材６１３を軸部６１１を回動軸として回転させて、遊技媒体貸出機８側に延出する。
【００８８】
次に図１４（ｄ），（ｅ）に示すように、底部回動部材６１３の端部に軸部６１４を介して回動自在に固定された可動部材６１５を、底部回動部材６１３に対して直交するように軸部６１４を中心に回転させる。
【００８９】
底部回動部材６１３の両端部には、図１４（ｅ），（ｆ）に示すように、軸部６１６を介して回動自在に固定された側面回動部材６１７と、軸部６１８を介して回動自在に固定された側面回動部材６１９とが形成されている。この側面回動部材６１７，６１９を軸部６１６，６１８を回動軸として回転させて、図１４（ｆ）に示すように、底部可動部材６１３に対して直交するように固定して、図１４（ｆ）に示すように、メダル受け皿を形成する（第２の状態）。
【００９０】
逆に、第２の状態から第１の状態に回動変位させる場合には、上述した逆の手順を行えばよい。
【００９１】
以上説明したように、第１実施形態のように可動部材６０２をスライドさせることなく、受け皿可動部材（可動部材）６０２ｇを、受け皿本体部材６０１ｇに対して回動可能に形成することで、遊技媒体貸出機側に向かって伸縮自在に形成することができる。
【００９２】
また、第１及び第２実施形態とを組み合わせて、受け皿６ａの本体部材６０１に対して、可動部材をスライド可能かつ回動可能に形成してもよい。
【００９３】
次に、本発明に係るスロットマシン１に隣接して配置される遊技媒体貸出機の好適な一具体例を説明する。上記第１実施形態では、スロットマシン１に隣接して設置された遊技媒体貸出機８は、図２に示すように、払出口８６０に受け皿が形成されていないが、図１５〜図１７に示すような、可動式の受け皿を設けてもよい。図１５は、スロットマシンに隣接して配置される遊技媒体貸出機を説明するための側断面図であり、可動受け皿８６５が収容した状態を示す。図１６は、遊技媒体貸出機を説明するための側断面図であり、可動受け皿８６５が開いた状態を示す図である。図１７は、図１５，図１６に示した遊技媒体貸出機の可動式受け皿８６５の斜視図である。
【００９４】
本具体例に係る遊技媒体貸出機８は、図１５に示すように、遊技媒体貸出機８内の中間部にホッパ装置（メダルホッパー）８２２が配置されている。このホッパ装置８２２の上部前面側には、メダル（遊技媒体）９０１を補強する際に開閉される鍵穴８０４付きの扉８０５が形成されている。また、例えば遊技媒体貸出機８の背面側にメダル補給部８２２ａを設け、外部メダル補給装置（不図示）等からメダル補給部８２２ａを介してホッパ装置８２２にメダル９０１を補給してもよい。
【００９５】
ホッパ装置８２２に貯留されたメダル９０１は、ホッパ装置８２２の下部に設けられた払出機構８２２ｂにより、ホッパ装置払出口８２２ｃから払出される。また、ホッパ装置８２２の前面側には、ホッパ装置払出口８２２ｃから、遊技媒体貸出機８の払出口８６０へと連通するメダル案内路８１０が形成されている。ホッパ装置８２２から出力されたメダル９０１は、自重により落下しメダル案内路８１０を介して払出口８６０から払出される。
【００９６】
またホッパ装置８２２の払出口８６０には、図１５〜図１７に示すように、可動式受け皿８６５が配置されている。
【００９７】
第１の状態では、この可動式受け皿８６５は、図１６に示すように、遊技媒体貸出機８のホッパ装置８２２から払出された遊技媒体９０１を受け入れる形態となっている。
【００９８】
第２の状態では、可動式受け皿８６５は、図１５に示すように、遊技媒体貸出機８のホッパ装置８２２から払出された遊技媒体９０１を、遊技媒体貸出機８の払出口８６０の前方の直下近傍に配置された、スロットマシン１の受け皿６ａ（可動部材６０２）に誘導する形態となる。詳細には、可動式受け皿８６５は、図１５〜図１７に示すように、傾斜面部８６５ａに、ホッパ装置８２２から払出された遊技媒体９０１が衝突、反射して、遊技媒体貸出機８の前方に向かって出力されるように、傾斜面部８６５ａが形成されている。また遊技媒体９０１が周囲に飛び散らないように、傾斜面部８６５ａの端部には、案内リブ８６５ｂが形成されている。この案内リブ８６５ｂは、第１の状態では図１５〜図１７に示すように、取り付け回転軸８６５ｃに負担がかからないように、脚部を兼ねている。
【００９９】
上記構成の遊技媒体貸出機８を、第１及び第２実施形態に係るスロットマシン１に隣接して配置させる。この際、スロットマシン１の受け皿６ａが、図２，図６，図８（ａ）に示すように、可動部材６０２が本体部材６０１に収容された基準状態（第１の状態）のときには、遊技媒体貸出機８の可動式受け皿８６５は、図１６に示すように、遊技媒体貸出機８のホッパ装置８２２から払出された遊技媒体９０１を受け入れる形態となっている。
【０１００】
一方、スロットマシン１の受け皿６ａが、図５，図７，図８（ｂ）に示すように、可動部材６０２が遊技媒体貸出機８側に変位した第２の状態のときには、遊技媒体貸出機８の可動式受け皿８６５は、取り付け回転軸８６５ｃを中心に回転させて、図１５に示すように、遊技媒体貸出機８のホッパ装置８２２から遊技媒体貸出機８の払出口８６０の前方の直下近傍に配置された、スロットマシン１の受け皿６ａ（可動部材６０２）に誘導するように収容する。
【０１０１】
上述したようにスロットマシン１に隣接して、上記可動式の受け皿８６５を備えた遊技媒体貸出機８を配置すると、第１の状態では、遊技媒体貸出機８の可動式受け皿８６５に払出された遊技媒体９０１を手動により、スロットマシン１に移送することができ、第２の状態では、遊技媒体貸出機８から直接、スロットマシン１の受け皿６ａに遊技媒体９０１を払出すことができる。このため遊技者は、遊技媒体９０１の払出に関して、第１及び第２の状態を選択することができ、ユーザビリティが向上する。
【０１０２】
なお、本発明は上述した実施形態に限られるものではない。上述した実施形態や具体例を組み合わせてもよい。
【０１０３】
上述した実施形態では遊技機としてスロットマシンを説明したが、この形態に限られるものではない。本発明に係る遊技機、遊技媒体貸出機、遊技システムを、遊技球（パチンコ）を遊技媒体とする遊技機、例えばパチンコ、雀球遊技装置等に適用してもよい。
【図面の簡単な説明】
【０１０４】
【図１】本発明の実施形態に係る遊技機及び遊技媒体貸出機が配置された遊技島１００１を説明するための図である。
【図２】本発明の一実施形態に係る遊技機及び遊技媒体貸出機を説明するための正面図である。
【図３】図２に示した遊技機の内部構造を説明するための図である。
【図４】図２に示した遊技機及び遊技媒体貸出機を有する遊技システムのブロック図である。
【図５】図２に示したスロットマシン１の受け皿６ａの一部が遊技媒体貸出機８側に延出された状態を説明するための正面図である。
【図６】図２に示したスロットマシン１および遊技媒体貸出機８の斜視図であり、受け皿６ａの可動部材６０２が本体部材６０１に収容された状態を説明するための図である。
【図７】図１に示したスロットマシン１および遊技媒体貸出機８の斜視図であり、可動部材６０２が本体部材６０１から延出した状態を説明するための図である。
【図８】図６および図７に示した受け皿６ａの上面図であり、（ａ）は本体部材６０１に可動部材６０２が収容された状態を説明するための図であり、（ｂ）は可動部材６０２が本体部材６０１から延出した状態を説明するための図である。
【図９】図８（ａ）に示した受け皿６ａのＡ−Ａ線に沿った断面図である。
【図１０】図８（ａ）に示した受け皿６ａのＢ−Ｂ線に沿った断面図である。
【図１１】可動部材６０２および本体部材６０１の分解斜視図である。
【図１２】本体部材６０１と可動部材６０２のスライド機構を説明するための正面図である。
【図１３】半固定機構６７０を備える受け皿ユニットを説明するための図である。
【図１４】本発明の第２実施形態に係るスロットマシン１の受け皿を説明するための斜視図である。
【図１５】スロットマシンに隣接して配置される遊技媒体貸出機を説明するための側断面図であり、可動受け皿８６５が収容した状態を示す。
【図１６】本発明に係るスロットマシン１に隣接して配置される一実施形態に係る遊技媒体貸出機を説明するための側断面図であり、可動受け皿８６５が開いた状態を示す図である。
【図１７】図１５，図１６に示した遊技媒体貸出機の可動式受け皿の斜視図である。
【図１８】従来の遊技機７０とこの遊技機７０に隣接して配置される従来の移送路を備える遊技媒体貸出機５０を説明するための図である。
【符号の説明】
【０１０５】
１  遊技機（スロットマシン）
２  筐体
３  前扉（前面部材）
４  上部パネル部
５  下部パネル部
６  受皿ユニット
６ａ  受け皿
７  操作卓
８  遊技媒体貸出機
１０  液晶表示領域
１１  液晶パネルユニット
１２  非表示領域
１３  液晶表示パネル部
１５  リール照明部
１５ａ  冷陰極蛍光ランプ
１５ｂ  インバータ
１８  中央表示基板
２０  主制御基板
２１  フレーム
２２  ホッパ装置
２３  補助貯留部
２４  主電源装置
２５  外部集中端子基板
３０  サブ制御基板
３２  メダル選別装置
３３  ガイド部材
３４  ガイド部材
４１  開口部
４３ａ，４３ｂ，４３ｃ  演出用照明部
４４ａ，４４ｂ  演出用放音部
４５  液晶表示ユニット
６１  払出口
６２ａ，６２ｂ  演出用放音部
７１  メダル（遊技媒体）投入部
７２，７３  ベットボタン
７４  スタートレバー
７５ａ，７５ｂ，７５ｃ  ストップボタン
８２  制御装置
８３  カードＲＷ（リーダライタ）装置
１００  リールユニット
１０１ａ，１０１ｂ，１０１ｃ  リール
１０４  回胴装置基板
１５０  電源装置基板
２０１  クレジット管理手段
２０２  内部抽選手段
２０２ａ  乱数発生装置
２０２ｂ  役抽選テーブル
２０２ｃ  内部抽選フラグ
２０３  リール回転制御手段
２０４  入賞判定手段
２０５  メダル払出制御手段
２０６  演出制御手段
３０１  フロント部材
３０２  中間部材
３２１  メダルセンサ
３６１  固定部材
６０１  本体部材
６０２  可動部材
６７０  半固定機能
６７１  可動部
６７２  付勢手段
６７３  固定部
８００  有価価値処理部
８０１  鍵穴
８０２  投入口
８０３  表示部
８０４  鍵穴
８０５  扉
８１０  メダル案内路
８２２  ホッパ装置（メダルホッパー）
８２２ａ  メダル補給部
８２２ｂ  払出機構
８２２ｃ  ホッパ装置払出口
８４１  メダル貸出スイッチ
８４２  カード返却スイッチ
８６０  払出口
８６５  可動式受け皿
８６５ａ  傾斜面部
８６５ｂ  案内リブ
８６５ｃ  取り付け回転軸
９０１  メダル（遊技媒体）
１０００  遊技システム
１００１  遊技島
【図１】
2007268069.tif 000003
【図２】
2007268069.tif 000004
【図３】
2007268069.tif 000005
【図４】
2007268069.tif 000006
【図５】
2007268069.tif 000007
【図６】
2007268069.tif 000008
【図７】
2007268069.tif 000009
【図８】
2007268069.tif 000010
【図９】
2007268069.tif 000011
【図１０】
2007268069.tif 000012
【図１１】
2007268069.tif 000013
【図１２】
2007268069.tif 000014
【図１３】
2007268069.tif 000015
【図１４】
2007268069.tif 000016
【図１５】
2007268069.tif 000017
【図１６】
2007268069.tif 000018
【図１７】
2007268069.tif 000019
【図１８】
2007268069.tif 000020